(57)【要約】【課題】  賞の判定後、次のスタートボタンの操作後に判定される賞に対するパチンコ球の払出動作の開始までに、先行する賞に対応するパチンコ球の払出を完了させる。【解決手段】  縦横に積層した払出球収容路４０内に設定個数のパチンコ球をほぼ鉛直方向に多数列に分割して係支する一方、駆動モーター９９の回転動作を駆動源として、払出球数設定片１８０が付設された前記払出球収容路４０に格納した多数個のパチンコ球を係止位置から解放位置に変換して、駆動軸の一回転動作内に７５個のパチンコ球の払い出す球払出ユニット３９を有することを特徴とするスロットマシン。【選択図】    図５
2005270273.tif 000002
【特許請求の範囲】
【請求項１】
賞の成立によりコインに換えてパチンコ球を賞として払い出す構成のスロットマシンにおいて、払出対象とするパチンコ球を収容する払出球収容路４０を縦横に積層して形成する一方、該払出球収容路を駆動モーターによって払出球収容路回転軸１２９を中心として旋回して払出球収容路に収容したパチンコ球を係止位置よりパチンコ球の解放位置に変換するとともに、前記縦横に積層して形成された払出球収容路内で整列して待機する複数列のパチンコ球群を、前記払出球収容路のパチンコ球解放位置において一括して払い出し作用するパチンコ球払出ユニット３９を有する事を特徴とするスロットマシン。
【発明の詳細な説明】
【技術分野】
【０００１】
本願発明は、賞の成立に対応してパチンコ球を放出するパチンコ球の払出手段を有するスロットマシンに関する。
【背景技術】
【０００２】
現在、遊技場に設置済みのスロットマシンは板状体であるコインを使用して遊戯する構成となっていて、遊技の結果賞が成立した場合には、賞の種別に応じる所定個数のコインを払い出すコイン払出手段を有するスロットマシンが主流となっている。しかし、特許出願された発明においては、パチンコ球を使用して遊戯する形態のスロットマシンも創作もみられる。（特許文献１、図４）一方、スロットマシンに近似する遊技機として入賞の成立に応じてパチンコ球の払い出しを行うパチンコ遊技機におけるパチンコ球の払い出し手段については多種類の創作がなされ際限ないほどの特許出願がされている。（特許文献２、図３）（特許文献３、図２）
【０００３】
そして、パチンコ球を使用するスロットマシンは、従来構造の単位時間内における払出個数が少なく、払出速度の遅いパチンコ遊技機における払い出し技術を転用し現在に至っている。（特許文献４、図４）
【０００４】
一方、パチンコ球の払出手段を遊技機の機枠に形成する技術については、リールユニット収容部が形成されていないパチンコ遊技機に係る基枠に関しては創作され特許出願されている。（特許文献５、図３）
【特許文献１】特開平０５−１５４２２９号公報（図４）
【特許文献２】特開昭５８−３２７８７号公報（図３）
【特許文献３】特公昭５４−６９３５号公報（図２）
【特許文献４】特開２００３−２７５３９０号公報（図４）
【特許文献５】特開平７−２５０９４２号公報（図３）
【発明の開示】
【発明が解決しようとする課題】
【０００５】
本発明は、賞の成立に対応して従来のパチンコ遊技機に比較して一時に極めて多数のパチンコ球を払い出すことが可能なパチンコ球払出手段を有するスロットマシンを提供することを目的とする。
【課題を解決するための手段】
【０００６】
本願発明の課題を解決する手段は、賞の成立によりコインに換えてパチンコ球を賞として払い出す構成のスロットマシンにおいて、払い出し対象とするパチンコ球を収容する払出球収容路４０を縦横に積層して形成する一方、該払出球収容路を駆動モーターによって払出球収容路回転軸１２９を中心として旋回して払出球収容路に収容したパチンコ球を係止位置よりパチンコ球の解放位置に変換するとともに、前記縦横に積層して形成された払出球収容路内で整列して待機する複数列のパチンコ球群を、前記払出球収容路のパチンコ球解放位置において一括して払い出し作用するパチンコ球払出ユニット３９を有する事を特徴とするスロットマシンを要旨とする。
【発明の効果】
【０００７】
本願発明の構成により、スロットマシンにおいて賞として遊技者に付与されるべき極めて多数個のパチンコ球が払出球収容路の揺動動作に基づいて瞬時に遊技者に供給することができる効果を生じる。
【発明を実施するための最良の形態】
【０００８】
本願発明における実施の形態を、図１から図１０を参照して以下詳細に説明する。
【実施例１】
【０００９】
本実施形態において、図１は、本願発明に係るスロットマシン本体裏面の概要を示す図である。当該スロットマシンにおける組立構造のベースになるスロットマシン本体枠１の上部には、該スロットマシンにおいて遊技状況や制御内容を図示しないスロットマシンの制御を統括するメイン制御部から指令され情報報知部から出力される駆動信号をランプやＬＥＤ等により点灯表示する表示ユニットが遊嵌される表示ユニット収容部２が成型されている。
【００１０】
上記遊技に供するパチンコ球の投入により遊技可能となる当該スロットマシンに設けられるメイン制御部は、後述のリール５の回転動作をスロットマシン前面に設けられたスタートボタン２９からのスタート信号に基づき制御するとともにリール５の回転動作に関連して、賞の成立と賞の種別を判定させる当たり乱数値の選択ルーチンなどが組み込まれた遊技制御プログラムの実行に基づいて賞の成立を設定し、判定された賞の種別に応じた数のパチンコ球を、当該スロットマシンの球処理基枠４に設けられた球払出制御部を構成するパチンコ球の払出ユニット（以下、球払出ユニット３９）の駆動モーター９９を駆動して払出球収容路４０内に収容した所定個数のパチンコ球を払い出すサブ制御部となる球払出制御部をコントロールする。
【００１１】
３は、スロットマシン本体枠１の中央部に広く開口されていて、遊技者に特別な利益を付与する賞の成立や種別を識別表示し、多種類の図柄例えばチェリーやリンゴ等の絵柄若しくは７、６、ＪＡＣなどの英数字等が外周面に環装された円管状のリール５を、リール５ａ、リール５ｂ、リール５ｃの三体を組として回動可能に軸架したリールユニット２４を収容するリールユニット収容部である。
【００１２】
リールユニット収容部３は、当該スロットマシンにおける遊技の開始に際して供するパチンコ球若しくは遊技者に賞として付与するパチンコ球をスロットマシン本体内に導入するとともにパチンコ球検出スイッチなどの検出手段が係着されパチンコ球の転動をスロットマシン本体内で誘導するパチンコ球誘導路が形成された合成樹脂製の球処理基枠４の中央部に広く貫設されて成り、リールユニット２４を遊嵌する。
【００１３】
６は鍵部であって、スロットマシン本体枠１の前面に覆設される前面枠３４を開放不能に鍵着する鍵を支承する。当該スロットマシンにおいて故障等の不具合や異常が生じた場合は、メイン制御部やサブ制御部若しくは球払出ユニット３９を有する球処理基枠４を内側に収容する前面枠３４が、スロットマシン本体枠１側より当該スロットマシンを管理する者の鍵操作により解放される。これにより前面枠３４で密封されていた当該スロットマシンにおける各種装置への作業やスロットマシンを構成するユニットの交換が限られた条件において許容される。  
【００１４】
９は、後に詳説する球処理基枠４をスロットマシン本体枠１に添設するための球処理基枠係止部材である。球処理基枠４は、該球処理基枠４に形成された係止部材収容溝８１にスロットマシン本体枠１側に設けられる球処理基枠係止部材９により締着してスロットマシン本体枠１に球処理基枠４を係り止める構成である。球処理基枠係止部材９への嵌挿操作と嵌脱操作とによってスロットマシン本体側のスロットマシン本体枠１に対して球処理基枠４が取付けられ或いは取り外し可能に係着される。
【００１５】
従って、スロットマシン本体枠１より図１０に図示する当該球処理基枠４を、球払出ユニット３９やタンクレール３６と共にスロットマシン本体枠１から取り外して、不具合の生じた球処理基枠４を該球処理基枠４若しくは球払出ユニット３９をユニット単位で修理し或いは破損した球処理基枠４若しくは球払出ユニット３９を交換してスロットマシンを修復することができる。
【００１６】
１１は、遊技場にスロットマシンを設置する場合の取付基体となるスロットマシン本体の木枠底板であり、また１０は、スロットマシン本体枠１の軽量化と機械強度の向上を図るため該スロットマシン本体枠１の樹脂成型時に一体形成された本体枠補強リブである。補強リブは、図１０、符号１４で図示したように球処理基枠４の球処理基枠取付ベース５０においても球処理基枠取付ベース５０の板平面より断面Ｕ形状に膨出され板平面上の縦横方向に延設されている。
【００１７】
１８は球処理基枠４において、球処理基枠４の組み付け機体となる球処理基枠取付ベース５０に後述する球払出ユニット３９を嵌合させるために使用する球払出ユニット取付螺子部である。２０は、該スロットマシンと遊技場の島機構や管理装置などの設備との間において、当該スロットマシンで更新される遊技制御データを出力するとともに遊技場の管理装置の管理データを必要な場合に当該スロットマシンのメイン制御部に入力する入出力信号接続ユニットであって、球処理基枠４の上部右方に凹設された入出力接続ユニット嵌合部７５に脱着可能に嵌入される。
【００１８】
２２は、球払出ユニット３９を有する球処理基枠４から流下され上部球受皿１６で充満したパチンコ球である溢れ球を誘入するとともに下部球受皿１５に向けて導出するスロットマシン本体枠１側に連通される球処理基枠４の下部球受皿導出口である。該下部球受皿導出口２２は、図１においては点線で明示したスロットマシン前面側に装設された下部球受皿１５に、球処理基枠４からのパチンコ球を導出可能に連通されている。
【００１９】
また、２３は球処理基枠４に形成された上部球受皿導出部であって、球処理基枠４の球処理基枠取付ベース５０に嵌合された球払出ユニット３９より払い出されるパチンコ球を球処理基枠４よりスロットマシン本体枠１を介して前面枠３４に装着された上部球受皿１６に転出させる。図１、符号１６により上部球受皿を点線で図示した。
【００２０】
図２において、スロットマシンの前面枠３４には、光透過性樹脂材よりなるリールユニット透視カバー２５が覆設される。リールユニット透視カバー２５は、拡大レンズを緩嵌してリール５ａ、５ｂ、５ｃの外周壁に形成されたリンゴ、スイカ、７，ＪＡＣ等各種図柄の識別を容易とし、スロットマシン外側からの物理作用例えばスロットマシン前面側よりの不正部材の侵入を、阻止する構造となっている。
【００２１】
リールユニット透視カバー２５の下方の前面枠３４には、メイン制御部のスロットマシン遊技制御プログラムで演算処理された遊技制御データのうちの音声情報を、サウンドジェネレータやデジタル−アナログ信号変換回路を有すサブ制御部の一つとなる音声制御部により生成される音声を遊技者に拡声して報知するスピーカーを収容するための拡声部２６が設けられる。また、既述の上部球受皿１６の外周面には遊技状況を表示するサブ制御部の一つである表示制御部のカラー液晶表示パネルを有する操作ユニット２７が設けられている。
【００２２】
また、操作ユニットには、賞の種別や遊技回数を当該スロットマシンに投入するパチンコ球数の使用単位を変更して設定する賭数設定ボタン２８と、リール５の回転動作を起動してスロット遊技を開始させるスタートボタン２９と、リール５の回転動作を停止して賞の有無若しくは賞の種別を確定表示するストップボタン３０とが設けられている。賭数設定ボタン２８には賭数設定スイッチ、スタートボタン２９にはスタートスイッチ、ストップボタン３０にはストップスイッチが設けられともにメイン制御部に接続される。
【００２３】
例えば賭数設定ボタン２８により三の賭数が設定された場合は、遊技に必要とするパチンコ球数単位を三倍に設定して遊技可能とする一方、賞の成立があった場合には、賞として遊技者に付与されるパチンコ球数の三倍、本実施形態においては賭数設定しない通常時に賞として付与するパチンコ球数７５個の三倍である２２５個パチンコ球を遊技者に払い出す構成とする。スロットマシンの遊技態様によっては、ある種の賞の成立によって通常時１回の再遊技が可能とされていたものを賭数の三倍である３回の再遊技を許容する構成も考えられる。
【００２４】
操作ユニットに設けられたこれらの検出スイッチからの検出信号がメイン制御部に出力されると、リール５を回転駆動するパルスモーターの制御と、賞の成立や賞の種別を抽選する乱数値により設定する乱数値選択処理と、賞の種別応じたパチンコ球数を算出する演算処理とがメイン制御部のスロットマシン遊技制御プログラムにより実行される。
【００２５】
スロットマシン遊技制御プログラムは、有する各制御ルーチンやサブプログラムによって、パチンコ球の払い出しを行うサブ制御部の一つである球払出制御部と、サブ制御部の一つである音声制御部と、サブ制御部の一つである表示制御部と、サブ制御部の一つであるリール回転制御部とを、該スロットマシン遊技制御プログラムの各制御ルーチンに応じて分岐処理若しくはシーケンス処理してコントロールする。
【００２６】
この操作ユニット２７の上方には球貸しボタン３１が設けられている。矢印で本実施形態における設置個所を示す。球貸しボタン３１に設けられる球貸しスイッチの検出信号を球貸し制御部とメイン制御部を介して受信した球払出制御部の球払出ユニットが当該スロットマシンの上部球受皿１６に向け２５個のパチンコ球を放出する構成となっている。上述のスロットマシン一回の遊技に使用するパチンコ球数は、本実施形態にあっては球貸操作によって貸し出された２５個のパチンコ球の内５個を単位として、後述の当該スロットマシンにおける一サイクルの遊技が可能とされている。
【００２７】
また、操作ユニット２７の上部には遊技を終了する際の精算処理に使用する精算ボタン３２が設けられる。
【００２８】
球貸しボタン３１と精算ボタン３２とに電気接続される球貸しスイッチと精算スイッチとカウンタ回路とを有するサブ制御部の一つである球貸し制御部は、これらのスイッチが検出した操作信号をメイン制御部に送信し、メイン制御部は、遊技者が要求する個数の貸し球を、球貸し操作毎に２５個単位で球払出制御部の球払出ユニットが有する駆動モーターを駆動して所望個数のパチンコ球を遊技者に払い出す。また、精算スイッチの検出信号は、当該スロットマシンのサブ制御部の一つである図示しないプリペイカードユニット制御部を有する球貸し制御部に投入されていたプリペイカードを、当該スロットマシンより遊技者に返却可能とする。プリペイカードユニット制御部の形態によっては精算処理を待たず球貸しデータの読みとりと更新後直ちにプリペイカードを遊技者に返却する構成として良いことは勿論である。
【００２９】
上記の如く、球貸しボタン３１によって球払出ユニットより放出されるパチンコ球数は２５個に設定されている。球貸しのための構成は、後述する賞として遊技者に付与するパチンコ球の払出と同様の構造によって実現される。即ち２０個の払出数を設定する払出数設定片が設けられた払出球収容路と５個の払出数を設定する払出数設定片が設けられた払出球収容路との二体の払出球収容路が駆動モーターにより揺動されて球払出ユニットより２５個のパチンコ球が遊技者に払い出される構成となっている。
【００３０】
なおこの球貸し用の球払出ユニットは球処理基枠４に独立して別に設けても良いし、一体の球払出ユニットの内の、前述した５個の払出数を設定した払出球収容路と２０個の払出数を設定した二体の払出球収容路とに対応するそれぞれ独立して設けた二台の駆動モーターの駆動によって二体の払出球収容路から計２５個の貸し球を放出する構成としてもよい。
【００３１】
図２において図示する３５は、球タンクであって遊技場のパチンコ球補給設備より供給されるパチンコ球を受け入れ可能としている。球処理基枠４に装着された球タンク３５の下段にはタンクレール３６が配設される。タンクレール３６は、球タンク３５からのパチンコ球を誘入可能とすると共に、鍵部６の解除操作時におけるスロットマシン本体木枠１の開放端とは反対側の軸支部である当該球処理基枠４の左方側縁に設けられる球払出ユニット３９に向けてパチンコ球を誘導する。
【００３２】
タンクレール３６には四条のタンクレール誘導路分離壁１３６が形成され、タンクレール３６で転動するパチンコ球を四列に分流しつつ整列して下方へ流下させるとともに、パチンコ球の転動速度を底面の傾斜角度により調整して球払出ユニット３９に導出する。
【００３３】
３７は、球処理基枠４に着座されたタンクレール３６に添設された球止め部材であって、球処理基枠４に脱着可能に組み付けられた球払出ユニット３９を該球処理基枠４から取り外す場合に、タンクレール３６内でパチンコ球を係止するため使用する。
【００３４】
球払出ユニット３９には、図２で示すように当該スロットマシンの奥行き方向にタンクレール誘導路分離壁１３６により四条に分割されたタンクレール３６及びカーブレール７３に連通される四層の払出球収容路４０と、この四層の払出球収容路４０を包んで付設された表裏二層の払出球収容路４０の回転動作のための作用領域が設けられている。図２の側面図において四層の当該払出球収容路４０は、図１のスロットマシン裏面側よりみて左右に二列形成されていて払出ユニット３９全体では八条の払出球収容路４０が構成されてなる。払出球収容路４０はスロットマシン本体枠１の左右に二列併設され及び奥行き方向に四層積層された構造となっている。  
【００３５】
八条の払出球収容路４０の下方解放端には、払出球収容路４０の各下方開放端に臨んで八個の払出球検出ユニット４１が設けられていて払出球収容路４０から放出されるパチンコ球を払出球検出スイッチで逐一検出する構造を球処理基枠４は有する。
【００３６】
払出球収容路４０から排出され、払出球検出ユニット４１の払出球検出スイッチが検出したパチンコ球は、払出球検出ユニット４１の図７で図示する払出球検出スイッチの払出球検出路１９４を通過した後落下して上部球受皿導出路４３に至る。    
【００３７】
上部球受皿導出路４３は、球処理基枠４の球処理基枠取付ベース５０より延出された上部球受皿導出部２３からスロットマシン本体枠１と前面枠３４とを通過し、上部球受皿１６の受皿底面に向けて球処理基枠４の球払出ユニット３９から放出されたパチンコ球を誘導する連通構造となっている。  
【００３８】
４６は、払出球収容路４０から排出されたパチンコ球が、球処理基枠４の上部球受皿導出部２３若しくは上部球受皿導出路４３或いは上部球受皿１６内に充満して溢れた場合などに、球処理基枠４側からスロットマシン本体枠１と前面枠３４とを通過して転出し前面枠３４に添設される下部球受皿１５に連通される下部球受皿導入口４８よりパチンコ球を導出する下部球受皿導出路である。  
【００３９】
図４は、当該スロットマシンの一つの機体となるスロットマシン本体枠１に、図１０で図示する係止部材収容溝８１と球処理基枠係止部材９とによって取り外し可能にされる球処理基枠４の組み付け状態を示す立体斜視図であって、球処理基枠４の分解斜視図である図３で示した球処理基枠取付ベース５０に対して、球タンク３５と、タンクレール３６と、カーブレール７３と、球払出ユニット３９と第二制御ユニット取付板５５ともなる球処理基枠蓋とが嵌合されて当該球処理基枠４が構成される。第二制御ユニット取付板５５には、メイン制御部若しくはサブ制御部となる球払出制御部を構成する図示しない制御回路基板収納ボックスが係脱可能に冠着される。
【００４０】
図４において、球処理基枠４の中央部に膨出され立体成型されたリールユニット収容壁７は外側にリールユニット収容外壁５１とリールユニット収容内壁５２とを有し、リールユニット収容内壁５２に臨んで、３個のリール５ａ、５ｂ、５ｃを拘持したリールユニット２４が緩嵌される。リールユニット収容壁７はリールユニット収容部３を球処理基枠４に形成する。    
【００４１】
７７は球タンク球導入壁であって、図示しないパチンコ球補給装置より供給されるパチンコ球の球タンク３５への落下衝撃を、形成された傾斜面によって緩衝しつつ球タンク３５内で停留させると共に、球タンク３５の球タンク導出口１６８にパチンコ球を導出するよう形成されている。
【００４２】
７８は、傾斜面を有して球タンク３５内で停留されるパチンコ球を球タンク導出口１６８に導出する球タンク球誘導傾斜壁である。７９は、球タンク導出口１６８の縁に設けられた球導出板であって、パチンコ球が著しく通過する壁面を補強すると共にパチンコ球と球タンクとの間に生じる摩擦係数を軽減するため球タンク３５の開口に延設された金属製の薄膜である。
【００４３】
８０は、タンクレール３６内に錘を有して垂下され、タンクレール３６内を通過するパチンコ球群の頭部に当接してこれを整列させる球均し片である。図示タンクレール開口５３の上端には、タンクレール蓋７６が覆設されていてタンクレール３６上を転出するパチンコ球群に、塵などの異物が混入することを防止するよう構成されている。    
【００４４】
タンクレール３６が球処理基枠取付ベース５０上において次に連接されるカーブレール７３に連通する該タンクレール３６の先端部近傍には、球止め部材３７が回動操作可能に軸支されている。カーブレール７３の右側側方端には球抜き部７２が形成されていて、タンクレール３６及び球タンク３５で貯留されているパチンコ球を球払出ユニット３９に誘導しないでスロットマシン機外に放出する構造を有している。
【００４５】
上記の球抜き部７２より導き出されたパチンコ球は、球処理基枠取付ベース５０に樹脂形成された球抜き経路１０６を経て、球処理基枠取付ベース５０下方の球抜き球排出路１０９より、球処理基枠取付ベース５０に覆設される第二制御ユニット取付板５５の内側に延設された球抜き連通口５７に至る。
球抜き連通口５７は下部球受皿１５に通じていて、球抜き部７２より抜かれたパチンコ球は球抜き経路１０６と球抜き球排出路１０９と球抜き連通口５７とを通過して下部球受皿１５に誘導される構造となっている。
【００４６】
５６は下部球受皿連通口であって、球払出ユニット３９の払出球収容路４０から放出されたパチンコ球が上部球受皿導出部２３若しくは上部球受皿導出路４３或いは上部球受皿１６に満タン状態にまで充満した場合において、下部球受皿１５にパチンコ球を導出するため、第二制御ユニット取付板５５の内側に曲折形成されるとともに、第二制御ユニット取付板５５が球処理基枠取付ベース５０に蓋として嵌合されて上部球受皿１６への球誘導樋が形成される。
【００４７】
５４は、当該スロットマシンを制御する制御ユニットが設けられる第一制御ユニット取付板であって球処理基枠取付ベース５０に一体として樹脂成型されてなる。
前記第一制御ユニット取付板５４にはサブ制御部となるリール制御部や表示制御部や音声制御部や若しくは球貸し制御部などの図示しない制御回路基板収納ボックスが搭載され、脱着可能に取付ビスにより係着された後において不正取り外し不能に封印手段を介して封止される。
【００４８】
６０は上部受皿連通蓋であって、球払出ユニット３９より払い出されたパチンコ球を上部球受皿１６に誘導する球誘導路１１０と上皿溢れ球導出路１８２とを共に嵌合する蓋部材である。上部受皿連通蓋６０は第二制御ユニット取付板嵌合面５８に連設されるとともに、上部受皿連通蓋６０と第二制御ユニット取付板嵌合面５８とにより上部球受皿導出部２３に至る球処理基枠４のパチンコ球収容領域の容積を球処理基枠取付ベース５０において拡大するよう膨出された曲折構造を第二制御ユニット取付板５５で有するよう形成されている。
【００４９】
６２は球払出ユニットカバーであって、払出球収容路４０の回動軸部を覆い取付螺子６７により螺着される符号６６の球払出ユニット第二カバーとともに、払出球収容路４０が格納される球払出ユニット３９の表面部に覆設される。球払出ユニットカバー６２は、球処理基枠取付ベース５０に延設された球払出ユニットカバー取付用ボス６９に球払出ユニット３９の球払出ユニット取付螺子部１８に取付螺子を螺着して球処理基枠４で一体に構成される。
【００５０】
８１は、球処理基枠取付ベース５０に凹設された係止部材収容溝であって、球処理基枠取付ベース５０に球払出ユニット３９が嵌合された球処理基枠４を、球処理基枠係止部材９とともにスロットマシン本体枠１に締着する。
【００５１】
図３の分解斜視図において、タンクレール３６にはタンクレール３６を形成する樋体を四条に分離してパチンコ球を四列に整列させるためのタンクレール誘導路分離壁１３６が立設されている。
【００５２】
球均し片８０にあっては、四条のタンクレール誘導路には３個の球均し片８０が垂下され、この球均し片８０のひとつは二条のタンクレール誘導路のパチンコ球に同時に作用するように他の二つの球均し片８０よりは巾広に形成されている。なお、１３７は球均し部材回動軸であり、図示１３９は、当該球均し片を自重により垂下させるための錘である。
【００５３】
球止め部材３７は、球処理基枠取付ベース５０に立設形成された球止め片取付ボス９３に遊嵌された球止め片回動軸１４８を中心として、球止め部材係止片１４６を押下げるよう回動操作し、タンクレール蓋７６に透設された球止め部材係止片係入溝１４５に該球止め部材係止片１４６を侵入させることによりタンクレール３６上を転動するパチンコ球が係止できる構成となっている。
【００５４】
なお、前記球止め部材係止片係入溝１４５が刻設された前記タンクレール蓋７６は、タンクレール蓋７６に形成されたタンクレール蓋取付ボス１４３を球処理基枠取付ベース５０に挿着して球処理基枠４に構成される。
【００５５】
図３において、タンクレール３６のカーブレール７３に臨む球送出端の底面には、球切れ検出スイツチ１６３がタンクレール３６のそれぞれ四条の球誘導路に対設して四個設けられている。該球切れ検出スイッチ１６３のアクチュエーター８７のそれぞれ四個はタンクレール３６を流下する球に格別に当接されるように四条のタンクレールの誘導底面に侵入する。従ってタンクレール３６の四条の球誘導路上の何れかでパチンコ球の流れが途切れて球切れが生じると、パチンコ球に押し圧されないアクチュエーター８７が上動し球切れを検出する。球切れ検出スイッチ１６３はアクチュエーター８７の上動により球切れ検出信号を生成してメイン制御部に出力する。
【００５６】
カーブレール７３の右方の開放下端は、タンクレール３６のタンクレール誘導路分離壁１３６により分割形成された四条の球誘導路に連通される球流路形成片８９によって球払出ユニット３９に構成される四条の払出球収容路４０に向けて四列のパチンコ球の群を導出するよう形成されている。
【００５７】
さらに、図３において、球払出ユニット３９の払出球収容路４０は水平断面がＨ形状に連設された計八個の樋体により形成されてなる。八個の樋体は、左右の両側の開放端に球払出ユニット側カバー８６が脱着可能に設けられる構造となっている。従って、払出球収容路４０の八個の払出球収容路４０内の何れかで球詰まりが生じた場合にあっては、払出球収容路４０の本体より球払出ユニット側カバー８６の取り外しを実施することによって払出球収容路４０の樋内が開放され、払出球収容路４０内に停留した塵や球の除去を行うことが可能となる。払出球収容路４０内で発生した払い出し障害は、球払出ユニット側カバー８６を球払出ユニット３９より離脱操作することにより容易に解消できる。
【００５８】
符号１２９は、払出球収容路４０に設けられる払出球収容路回転軸であって１２７、１２８で図示するベアリングにより軸支されていて、払出球収容路４０の回転動作に係わる摩擦係数が軽減され払出球収容路４０の円滑な球払い出し動作を実現する構造となっている。
【００５９】
一方、球処理基枠４の基板となる球処理基取付ベース５０には、払出球収容路４０に枢支された払出球収容路回転軸１２９を中心として払出球収容路４０を連繋し払出球収容路４０を回転動作して前後に揺動する駆動モーター９９が、脱着可能に嵌着されている。
【００６０】
正逆回転する該駆動モーター９９の回転駆動軸にはピニオン回転体９７が軸止されている。９８は、駆動モーター９９の回転駆動軸で軸支されたピニオン回転体９７の正転若しくは逆転動作により係動され、駆動モーター９９の回転運動を、払出球収容路４０の右側旋回若しくは左側旋回する揺動動作に変換するラックベルト板である。ラックベルト板９８はピニオン回転体９７の反時計回り正回転により左旋回し、ピニオン回転車９７の時計回りの逆回転により右旋回する揺動動作を払出球収容路４０に実現する。
【００６１】
なお、ピニオン回転体９７は駆動モーター９９の駆動軸に直接軸着することなく、ギアやカムを駆動モーター９９とピニオン回転体９７間に介装することによって、ギア比率やカムの径若しくはギアに刻設する歯数を適宜設定することによりピニオン回転体９７の回転速度とトルクと回転量若しくは回転角度を適正に調整することができる構成となる。該ラックベルト板９８は、駆動モーター９９により回転されるピニオン回転体９７の回転動作に係動作用されて、払出球収容路４０を該払出球収容路４０に形成された払出球収容路回転軸１２９を中心として正転若しくは反転する旋回運動をする構造となっている。
【００６２】
ラックベルト板９８においてもピニオン回転体９７と同様に咬み合う歯数を適宜調整し設定することによって、払出球収容路４０に対する引き込み速度と引き込み量とを精密に調整することができる構成とすることができる。
【００６３】
上記の如く、水平断面Ｈ形状が連設された樋構造の払出球収容路４０の両側部には、二個一対の球払出ユニット側カバー８６が外嵌される。払出球収容路４０は、該球払出ユニット側カバー８６と既述の球払出ユニットカバー６２とが覆設された構成において、球処理基取付ベース５０に形成された球払出ユニットカバー取付用ボス６９に球払出ユニット取付螺子部１８が螺入され、球払出ユニット３９が球処理基枠取付ベース５０に嵌合されて球処理基枠４が組み立てられる。  
【００６４】
また、上記水平断面Ｈ形状の樋体が積層された払出球収容路４０の上端開口面は、当該払出球収容路４０に、四条のカーブレール導出路１７１からのパチンコ球を受け入れる連通状態に対設されている。一方、球流路形成片８９が立設され四条の樋体に形成されたカーブレール７３の外周縁は前記球払出ユニットカバー６２が覆設する構成となって、カーブレール７３右方に開放されるパチンコ球の球誘導路が格納される。
【００６５】
具体的には、球処理基枠取付ベース５０に透設された球払出ユニットカバー取付孔９４に球払出ユニットカバー６２からの取付螺子が螺入されて、球払出ユニット３９の球払出ユニットカバー６２が球処理基枠取付ベース５０に係脱可能に嵌合されて球処理基枠４が構成される。  
【００６６】
球払出ユニット３９の水平断面Ｈ形状の計八個の樋体を有する払出球収容路４０は、既述したように左右に二列で、球払出ユニット３９の厚み方向に四層の樋体から形成された払出球収容路４０となる。当該払出球収容路４０の下端部には、八条の樋体の球出口にそれぞれ八個の払出球検出スイッチ収容体１２６がＬ字形状に形成され、左若しくは右の側方向より払出球検出スイッチが脱着可能に収容される。具体的には、払出球検出スイッチ収容体１２６は左側四層の払出球収容路４０と右側四層の払出球収容路４０とが互いに所定の角度で交差されて左右一対で合計八組設けられている。
【００６７】
当該八個の払出球検出スイッチ収容体１２６には、各々八個の近接スイッチよりなる払出球検出スイッチが係脱可能に収容されて、八条の各払出球収容路４０から排出される払出球を個別に検出する構造となっている。
【００６８】
前記払出球検出スイッチに形成された払出球検出路１９４（図７参照）を通過したパチンコ球が自重により落下する下方部には、球処理枠取付ベース５０に形成された上部受皿連通樋１０４と上部球受皿導出部２３とが対設された樹脂成型体の球処理基枠取付ベース５０が構成される。上部球受皿導出部２３には隣接して上部球受皿１６への連通部に充満してきたパチンコ球が一定量の容積を超えると壁の高さにより溢れ出して導く溢れ球堰１８３が膨出形成されている。
【００６９】
また、払出球収容路４０から流下してくるパチンコ球を上部球受皿１６に導く上部受皿連通１０４と、溢れ球堰１８３から転出するパチンコ球を誘導する上皿溢れ球導出路１８２とは、溢れ球堰１８３とともに合成樹脂材の一体成型によって膨出された隔壁により球処理基枠４取付ベース５０にパチンコ球の流下経路が構成されてる。
【００７０】
同様に、前記上部受皿連通１０４と上皿溢れ球導出路１８２とに連通される球誘導路１１０は、球処理枠取付ベース５０に樹脂成型された隔壁によって下部球受皿１５にパチンコ球を誘導するパチンコ球の通過経路を球処理基枠取付ベース５０に構成する。
【００７１】
該球誘導路１１０が形成された球処理基枠取付ベース５０には、下部球受皿連通口５６が形成された第二制御ユニット取付板５５が覆設されて球処理基枠４が構成される。第二制御ユニット取付板５５が嵌合された球処理基枠４のパチンコ球の流下経路によって、上部球受皿１６からのパチンコ球が上部受皿連通１０４と上皿溢れ球導出路１８２と球誘導路１１０とを経て下部球受皿１６に導かれる。
【００７２】
下部球受皿導出口２２から下部球受皿１５に導出されるパチンコ球は、球処理基枠４と、スロットマシン本体枠１と、前面枠３４とを通過して、前面枠３４に係着された下部球受皿１５に導かれる。
【００７３】
図５において、遊技場に設置された図示しない補給装置よりスロットマシンに補給されるパチンコ球は球タンク３５に落入する。球タンク３５に落下したパチンコ球は、球タンク３５に形成された球タンク傾斜底板１６７から球タンク傾斜底板１６７の傾斜面によって球タンク導出開口１６８に転動する。次に、パチンコ球は球タンク３５の開放端に形成された球タンク導出開口１６８よりタンクレール３６上に到達しタンクレール傾斜底板１６９に導かれてカーブレール７３側に向かって転出する。
【００７４】
タンクレール３６上のほぼ中央位置には既述のように球均し片８０が設けられ、球均し片８０はタンクレール３６の下流方向に転動する球群に作用しパチンコ球を一列に整列させる。整列されたパチンコ球はカーブレール７３方向に転出させる。
【００７５】
タンクレール３６には既述したように球止め部材３７が添設されていて、パチンコ球の球払出ユニット３９への転出を阻止する場合にあっては、該球止め部材３７に設けられた操作端１４７を球止め片回動軸１４８を中心に旋回操作してタンクレール蓋７６に形成された球止め部材係止片係入溝１４５に侵入させパチンコ球を係止する。
この構造によって、スロットマシン本体枠１に脱着可能に係着された球処理基枠４より更に係脱可能な球払出ユニット３９を取り外し修理等する場合にも、球止め部材３７により係止されたタンクレール３６や球タンク３５上で停留されたパチンコ球は球払出ユニット３９に向かって転出することはない。
【００７６】
球止め部材３７を通過したパチンコ球は、タンクレール３６底面に添設された球切れ検出スイッチ１６３のアクチュエーター８７に当接して球有り検出信号を出力させる。パチンコ球がタンクレール３６の流下経路上に存在しない場合にはアクチュエーター８７は自己の付勢力によって上動し球切れ検出スイッチ１６３より球切れ検出信号が出力される。
【００７７】
前記球有り検出信号と球切れ検出信号とは球払出制御部に入力され、球切れの場合は球の払出制御を禁止し、球有りの場合は払出動作を許容するとともにメイン制御部を介して表示制御部を駆動し、表示制御部の制御により払出情報を表示ユニット収容部２に嵌合された表示ユニットやカラー液晶表示パネルを有する操作ユニット２７においてパチンコ球の補給情報が表示される。
【００７８】
球切れ検出スイッチ１６３が設けられたタンクレール３６上を通過するパチンコ球の有無によって、パチンコ球払い出し用の駆動モーター９９が球払出制御部の駆動制御によって球払出動作許容状態と払出禁止状態とに変換制御される。
【００７９】
球切れ検出スイッチ１６３を通過したパチンコ球はカーブレール７３に転出する。
カーブレールに到来したパチンコ球は、カーブレール導入路１７０よりカーブレール導出路１７１を通過する。カーブレール導出路１７１は、スロットマシンを管理する者の操作により、一端が軸支された該カーブレール導出路１７１の端片が旋回されるか否かによって、カーブレール７３上を転動して流下するパチンコ球を、上部球抜き経路１７３側と、払出球収容路４０の設けられているカーブレール導出路１７１側とに振り分けることができる。
【００８０】
即ち、スロットマシンの稼働状態にあってはカーブレール導出路１７１側に端片を移動し、スロットマシンの稼働が停止されている場合の球抜き時には、球タンク３５及びタンクレール３６上で貯留されたパチンコ球を、スロットマシン機外に導出する上部球抜き経路１７３側にカーブレール導出路１７１の端片を作用して、パチンコ球の通過経路の連通状態を適宜変換することができる。
【００８１】
上部球抜き経路１７３は下部球抜き排出路１７６と球抜き経路１０６とともに球処理基枠取付ベース５０に通路が凹形状に樹脂成型されていて、第二制御ユニット取付板５５が嵌合されて球処理基枠４が構成された形態において、既述のようにカーブレール７３からのパチンコ球を下部球受皿１６に誘導するよう構成される。
【００８２】
図３及び図４の立体斜視図で示したように、球払出ユニット３９は、カーブレール７３と払出球収容路４０などを、球払出ユニットカバー６２と球払出ユニット第二カバー６６と球払出ユニット側カバー８６とで嵌合したパチンコ球払出機構を有するユニットであり、球払出ユニット取付螺子部１８を介して、球処理基枠取付ベース５０若しくは球処理基枠４より脱着交換可能にされる単一のユニットとして構成されるものである。  
【００８３】
スロットマシンの稼働時において、カーブレール導出路１７１に誘導されたパチンコ球は球払出ユニット３９の払出球収容路４０に臨む。スロットマシンが稼働した初期の場合にあっては、球払出ユニット３９の左右二列の払出球収容路４０のうち左方の払出球収容路４０の四層の球導入口４５ａが、タンクレール３６より連通状態となっているカーブレール７３の四条のカーブレール導出路１７１の導出口３８に臨む。図６（Ａ）。
【００８４】
カーブレール導出路１７１の導出口３８より左方の払出球収容路４０の四層の球導入口４５ａに導出されるパチンコ球は、左方の四層の払出球収容路４０内に落下する。払出球収容路４０に落下したパチンコ球は、払出球収容路４０の左方壁面に係着され当該払出球収容路４０内で収容するパチンコ球の数を設定する払出球数設定片１８０によって係止される。払出球数設定片１８０は、払出球収容路４０内で鉛直方向に整列して停留されるパチンコ球の収納個数を決定する位置に設けられている。
【００８５】
図５においては、左方の払出球収容路４０に対して、１５個のパチンコ球が貯留される位置に払出球数設定片１８０ｒが、また２０個のパチンコ球が貯留される位置に払出球数設定片１８０ｓが設けられる一方、右方の払出球収容路４０に対して、１５個のパチンコ球が貯留される位置に払出球数設定片１８０ｔが、２０個のパチンコ球が貯留される位置に払出球数設定片１８０ｕが設けられた構成を示している。
【００８６】
また、払出球収容路４０の側方断面図、図９において図示するように、四層積層された左方の払出球収容路４０の第一層は１５個パチンコ球を収容する位置に払出球数設定片１８０ｒが係着され、第二層から第四層の左方の払出球収容路４０は２０個のパチンコ球を収容する位置に払出球数設定片１８０ｓが係着された構造となっている。
【００８７】
これにより４条のカーブレール導出路１７１から導出されたパチンコ球は、左側第一層には１５個、第二層から第四層には各２０個で計６０個の合計７５個のパチンコ球が流下と同時に収納される。
【００８８】
次に、球払出ユニット３９に設けられた駆動モーター９９が、メイン制御部からの制御信号を受信した払出制御部により起動されると、駆動モーター９９が正回転し、駆動モーター９９の駆動軸に軸支されたピニオン回転体９７が反時計回り方向に回転する。反時計回り方向に回転するピニオン回転車９７は、球払出ユニット３９に回動可能に軸支された払出球収容路４０、即ち、回転軸受１２７と回転軸受１２８とにより払出球収容路４０の払出球収容路回転軸１２９が旋回揺動可能に軸支された当該払出球収容路４０に連設されたラックベルト板９８を左方に引き込みこれを係動する。
【００８９】
なお、ピニオン回転車９７とラックベルト板９８とは摩擦板で係合させることのほか、歯車の咬み合いによって引き込み係動作用してもよい。摩擦板で構成すれば、球払出ユニット３９におけるピニオン回転車９７とラックベルト板９８との係合位置の許容範囲が拡大されて組立構造を簡略化でき、ピニオンとラックの歯数を緻密に刻む構成とすれば、球払出収容路４０の旋回量と旋回速度とを、駆動モーターの回転速度とトルクの調整とに併せて精度高く設定することができる。
【００９０】
係動動作されるラックベルト板９８が左方向に引き込まれる作用によって、ラックベルト板９８と一体となって連設された払出球収容路４０は、図５図（Ａ）と図５（Ｂ）とで図示したように旋回する。旋回される払出球収容路４０は、駆動モーター９９への回転制御信号に基づいて、ほぼパチンコ球一個分離隔された左方の球導入口４５ａより右方の球導入口４５ｂにカーブレール７３の導出口３８が臨む位置にまで旋回される。
【００９１】
斯うして、払出球収容路４０は、カーブレール導出路１７１の導出口３８に、右方の払出球収容路４０の球導入口４５ｂが臨む位置へと移動する。
払出球収容路４０の球導入口４５ａと球導入口４５ｂとの移動と同時に、前記左方の払出球収容路４０において払出球数設定片１８０ｒと払出球数設定片１８０ｓ等とにより個数設定されて係止されていた７５個のパチンコ球は、左方の払出球収容路４０の左旋回により該払出球数設定片１８０ｒと払出球数設定片１８０ｓとの係止を解かれて解放される。
【００９２】
払出球数設定片１８０ｒと払出球数設定片１８０ｓとの係止から解放された合計７５個のパチンコ球は左方の払出球収容路４０を流下する。合計７５個のパチンコ球は球払出ユニット３９に設けられた払出球検出ユニット４１の各払出球検出路１９４を通過する。各払出球検出路１９４のパチンコ球の通過よって、左方の四層の各払出球収容路４０から落下したパチンコ球の球数が四個の払出球検出スイッチにより四層の各払出球収容路４０の各々に対応して検出される。
【００９３】
払出球検出ユニット４１に収納された四個の払出球検出スイッチによるパチンコ球の検出動作によって、四層の各払出球収容路４０で一旦収容された後解放され払出されたパチンコ球数が、１５個若しくは２０個に満たないか否かが払出制御部のカウント回路で検出され、１５個若しくは２０個、四層合計で７５個に満たない場合は払出異常信号が球払出制御部を経てメイン制御部に出力されるとともに各払出球検出スイッチにおいて検出されたパチンコ球の合計個数データが球払出制御部からメイン制御部に出力されて格納される。
【００９４】
払出異常信号若しくは合計個数データを受信したメイン制御部は表示制御部を駆動し、表示制御部の制御によりパチンコ球の払出情報を表示ユニット収容部２に嵌合された表示ユニット及びカラー液晶表示パネルを有する操作ユニット２７において払出異常情報若しくは払出処理情報となるエラー記号若しくは警告文や払出し個数データが表示される。
【００９５】
更に、払出球検出路１９４を通過したパチンコ球は、球払出ユニット３９より解放されて球処理基枠取付ベース５０を嵌合してなる球処理基枠４に樹脂形成された上部受皿連通樋１０４に落下した後、既述のパチンコ球通過経路を経て、上部球受皿１６に転出する。
【００９６】
一方、上記前記駆動モーター９９により駆動されるピニオン回転体９７の正回転と、該ピニオン回転体９７により連繋されるラックベルト板９８の左方への摺動によって、カーブレール７３の導出口３８に続いて対向される右方払出球収容路４０の球導入口４５ｂには、払出球収容路４０の上端縁で係止され待機していた後続のパチンコ球が落入を開始する。四条の球導入口４５ｂから右方の払出球収容路４０の四条の収容路にそれぞれ落入したパチンコ球は、一の払出球収容路４０に付設された払出球数設定片１８０ｕによって１５個、払出球収容路４０の他の三条の払出球収容路４０に係着れた払出球数設定片１８０ｔよって各２０個の計６０個、合計７５個のパチンコ球が右方の四層の払出球収容路４０内に格納される。
【００９７】
次に、球払出ユニット３９に設けられた駆動モーター９９が、次回のスロットマシン遊技の結果（二サイクル目となる遊技の結果）連続して成立した賞に基づいてメイン制御部から球払出制御部に払出制御信号が送信されると駆動モーター９９は再び起動される。駆動モーター９９は球払出制御部により反転制御されて駆動モーター９９の駆動軸に軸支されたピニオン回転体９７を今度は時計回りに回転する。
【００９８】
時計回りに回転するピニオン回転車９７は、払出球収容路回転軸１２９が回転軸受１２７と回転軸受１２８とで軸支された払出球収容路４０に連設されたラックベルト板９８を右方向へ押動する。ラックベルト板９８が押動されると、図５（Ｂ）と図５（Ａ）とで図示するように、払出球収容路４０は払出球収容路回転軸１２９を回転軸として今度は時計回りに旋回される。
【００９９】
右旋回して揺動する払出球収容路４０は、駆動モーター９９の逆回転制御によって、ほぼパチンコ球一個分離隔された右方の球導入口４５ｂから左方の球導入口４５ａにカーブレール７３の導出口３８が対向する初期の位置まで移動される。斯うして、カーブレール導出路１７１の導出口３８に対して、再び左方の払出球収容路４０の球導入口４５ａが臨む状態に復帰する。
【０１００】
なお、導入口４５ａが導入口４５ｂに移動する際には、導入口４５より導出口３８に亘って払出対象とされるパチンコ球が数珠状に整列していて、導入口４５ａに収容したパチンコ球は、導出口３８に後続のパチンコ球を待機させる状態でずれ、導入口４５ｂａが移動してくるまで導出口３８で待機させた後続のパチンコ球を僅かに下降の後上昇させる形態となる払出球収容路４０に対しては、収容したパチンコ球と待機させるパチンコ球とを分離し、導出口３８側のパチンコ球を払出球収容路４０の移動時に、一時係止する球切り手段を、導出口３８に付設するのが好ましい。このようにすれば払出動作時に、導出口３８と導入口４５との近傍で整列されるべきパチンコ球の変位により、球詰まりが生じることを防止する。
【０１０１】
同時に、右方の払出球収容路４０において払出球数設定片１８０ｕと払出球数設定片１８０ｔ等により個数設定されて払出球収容路４０に収容されていた合計７５個のパチンコ球は、右方の払出球収容路４０の右旋回の完了とともに該払出球数設定片１８０ｒと払出球数設定片１８０ｓとの係止から解放されて落下可能となる。
【０１０２】
払出球数設定片１８０ｕと払出球数設定片１８０ｔとの係止から解放されて四条の収容路から落下する合計７５個のパチンコ球は、球払出ユニット３９に設けられた払出球検出ユニット４１の各払出球検出路１９４を通過することにより払出球検出スイッチを介して検出される。この払出球検出ユニット４１に脱着可能に収納された払出球検出スイッチにより検出された払出球数が、球払出制御部により賞の成立に基づいて払い出される７５個に満たないと判定された場合には、上述のように球払出制御部より払出異常信号がメイン制御部に出力される。
【０１０３】
次に、払出球検出路１９４を通過したパチンコ球は、左方側の払出球収容路４０より解放されたパチンコ球と同様に、払出球収容路４０が設けられた球払出ユニット３９より解放されて、球処理基枠４の球処理基枠取付ベース５０に樹脂形成された上部受皿連通樋１０４に落下した後上部球受皿導出部２３を経て上部球受皿１６に放出される。
【０１０４】
スタートボタン２９とストップボタン３０との操作に基づきスロットマシンの遊技が実行され、リール５の回転表示を介して確定された賞の成立若しくは賞の種別を、スロットマシン遊技制御プログラムの当たり乱数値選択ルーチンを経て賞を判定したメイン制御部からの球払出制御信号を払出制御部が受信する。球払出制御信号を受信した球払出制御部は、駆動モーター９９を制御して該駆動モーター９９を所定量、所定回転方向に回動する。
【０１０５】
駆動モーター９９の回転により旋回して揺動され球払出ユニット３９内の回転軸受１２７と回転軸受１２８とで回転可能に軸支された払出球収容路４０は、７５個のパチンコ球をカーブレール７３より受け入れる。払出球収容路４０は、駆動モーター９９の起動によりラックとピニオンなどの連繋手段を介して回転動作を扇動動作に変換して揺動され、払出球収容路４０が収容した払出球数設定片１８０等の払出個数設定手段により設定された７５個のパチンコ球を解放し、上部球受皿１６に向けて一時に多数個パチンコ球を払い出す構成を実施形態に記載したスロットマシンは有する。
【０１０６】
従って、駆動モーター９９の一回動によりにより瞬時に７５個のパチンコ球が上部球受皿１６に払出され、パチンコ遊技に比較して一遊技サイクルが極めて短いスロットマシンの遊技の結果、更に連続して賞が成立した場合にあっても、上記実施例に記載した払出球収容路４０を有する球払出ユニット３９と該球払出ユニットと３９と駆動モーター９９を脱着可能に嵌着した球処理基枠４から払出制御部の正逆回転動作に基づいて払出球収容路４０から、瞬時に７５個のパチンコ球が、再び払い出される構成となっている。
【０１０７】
また、賭数設定ボタン２８に対する操作によって、三倍賭が遊技者により選択された場合にあって、賞の成立によって７５個の三倍の２５５個のパチンコ球を払い出す遊技形態が成立した場合にも、前記払出球収容路４０による３回の揺動動作によって、２５５個のパチンコ球が上部球受皿１６に極めて短時間の内に払い出される構成となっている。
【０１０８】
実施形態に記載した発明は、パチンコ遊技機と異なり極めて遊技サイクルが短く、然もコインに変えてパチンコ球を賞に対応する有価価値として使用する場合にあって極めて短時間に多量のパチンコ球を払い出さねばならない必要のあるスロットマシンにおいても、従来構造のスクリュー回転体螺旋部で払出対象とするパチンコ球を抱持し、または回転車の外周面でパチンコ球を抱持しつつ、所定個数のパチンコ球を繰り出すパチンコ球の払出構造では実現できなかった高速のパチンコ球の払出技術を駆動モーターを駆動源として構成している。
【０１０９】
なお所定個数のパチンコ球設定して収容した後開放する払出球収容路４０を有する球払出ユニットの払出球収容路４０の回転駆動手段は駆動モーター９９を駆動手段とせずソレノイドやロータリーソレノイド等の電磁手段で払出球収容路４０を引き込み回転動作させる構成としてもよいことは勿論である。
【０１１０】
また、既述したようにプリペイカードを当該スロットマシンに投入して遊技する場合に対応しては、スロットマシンやパチンコ遊技機で貸球し数として定められた例えば２５個の貸球球数を、払出球収容路４０に付設する払出球数設定片１８０により設定する。
【０１１１】
既述した構成を球貸し制御部に組み込む場合は、１５個のパチンコ球を払出球収容路４０に設定する払出球数設定片１８０と２０個のパチンコ球を払出球収容路４０に設定する払出球数設定片１８０との二層の払出球収容路４０をのみ駆動モーターにより旋回揺動して合計２５個のパチンコ球を払い出す構成とすることができる。或いは、２５個の貸球の払出処理を行う球払出ユニットを賞の成立に基づいて払出動作する球払出ユニット３９は別に球処理基枠４に設ける構成としてもよい。        
【０１１２】
この場合、球貸し用に設ける二台目の球払出ユニットはリールユニット収容壁７を挟んで球処理基枠取付ベース５０の反対側に設けるのが球処理基枠４の樹脂成型上好ましい。球貸し用のス球払出ユニットはロットマシン本体枠１より前面枠３４を回動解放可能に軸支する前面枠開閉軸部材１７の設けられる側とは反対側の前面枠３４を解放操作する鍵が設けられる側に位置する球処理基枠４の球処理基枠取付ベース５０上に脱着可能に設けると共に、球タンク３５よりパチンコ球を分岐して誘導する第二のタンクレールとカーブレールと上部球受皿１６に貸し球を誘導する貸し球の誘導経路等を樹脂成型して球処理基枠取付ベース５０を形成して球処理基枠４に組み付ける。
【０１１３】
また、図８で示したように、八条の払出球収容路４０にはそれぞれ独立して駆動モーター９９とピニオン回転体９７とラックベルト板９８とを各払出球収容路４０の連繋機構ごとに各ユニット単位で個別に連繋する構成とするとともに、５個を払出球数設定片１８０により設定した払出球収容路４０と、２０個を払出球数設定片１８０により設定した払出球収容路４０との二条の払出球収容路４０のみを、球貸しボタン３１の操作信号を受信し球貸し制御部により起動された二個の駆動モーター９９により揺動して２５個の貸し球を払い出す構成としてもよい。
【０１１４】
図２において、スロットマシン前面枠３４の上部球受皿１６に付設された球貸しボタン３１を遊技者が球貸し操作する事によって球貸し検出スイッチから発信される球貸し要求信号が、球貸し検出スイッチの設けられる球貸し制御部よりメイン制御部に送信され、メイン制御部からは球払出制御部に球貸し動作を対象として駆動モーターを起動する制御信号と球貸し個数に係る球貸しデータとが出力される。出力された球貸しデータは表示制御部に設けられる操作ユニット２７のカラー液晶表示パネルにおいて、当該スロットマンの遊技情報の一つとしてデジタル表示される。  
【０１１５】
一方、当該スロットマシンにおけるスロットマシン遊技の結果遊技者が得る所定の利益は、賞としてのパチンコ球の払い出しによって実現されるが、賞の設定は様々に設定することができ、既述したように７５個のパチンコ球を遊技者に供給することのほか、１個、５個、１０個等のパチンコ球を賞として遊技者に払い出す構成としてもよい。
【０１１６】
１個、５個、１０個の賞としてのパチンコ球を払い出す場合には、払出球収容路４０に係着する払出球数設定片１８０を、１個、５個、１０個の各収容球数に対応する払出球収容路４０に付設するとともに、図８で図示するように、縦横に積層される払出球収容路４０のそれぞれに駆動モーターを設けて、成立した賞の種別によりそれぞれ１個、５個、１０個のパチンコ球を収容した各払出球収容路４０を各駆動モーターとピニオンとラック等の連繋手段若しくは作用変換手段と介し個別に揺動して１個、５個、１０個のパチンコ球の払出が行なわれる。或いは１個と６個とで計７個、１個と１個と１０個とで計１２個のパチンコ球の払出を行う構成としてもよい。
【０１１７】
実施形態に記載した発明の構成は、賞の成立によりコインに換えてパチンコ球を賞として払い出す構成のスロットマシンにおいて、払出対象とするパチンコ球を収容する払出球収容路４０を縦横に積層して形成する一方、該払出球収容路を駆動モーターによって払出球収容路回転軸１２９を中心として旋回して払出球収容路に収容したパチンコ球を係止位置よりパチンコ球の解放位置に変換するとともに、前記縦横に積層して形成された払出球収容路内で整列して待機する複数列のパチンコ球群を、前記払出球収容路のパチンコ球解放位置において一括して払い出し作用するパチンコ球払出ユニット３９を有する事を特徴とするスロットマシンを要旨とし、払出球収容路４０内に収容した設定個数のパチンコ球が駆動モーター９９の回転動作に基づいて、払出球収容路４０がパチンコ球の収容状態から解放状態に変換すると同時に、極めて多数個本実施例で示した場合においては７５個のパチンコ球を瞬時に遊技者に向け供給することを可能とする。
【０１１８】
また、スロットマシン遊技の結果において賞として遊技者に付与されるべき極めて多数個のパチンコ球を、電磁手段を駆動源とする払出球収容路の揺動動作に基づいてスロットマシンの一サイクル遊技の短時間内に遊技者に払い出すことを可能とする効果を生じる。
なお、縦横に積層した払出球収容路とは、払い出し対象とする所定個数のパチンコ球を受け入れて収容する払出球収容路が、少なくとも縦幅方向に二列、横幅方向に二列、隣接して設けられている構造などをいう。
【０１１９】
また、払出球収容路のパチンコ球解放位置において一括して払い出し作用するとは、払出球収容路内に払出対象として収納ｒ．パチンコ球を一個毎に繰り出し作用したり、払出球収容路に収容されたパチンコ球を一列若しくは複数列を時間の経過を経て順次払い出す構造では無く、例えばモーターの駆動軸に連繋される回転車のパチンコ球収容歯に収容されたパチンコ球を一個ごと繰り出す構造や、パチンコ機本体の奥行き方向に前後二列形成されたパチンコ球収容路内のパチンコ球を順次払い出す構造（特開２００４−４７３号公報、図１９及び図２０参照）と異なり、払出球収容路内で一旦停留した多数個のパチンコ球全ての係止を、ほぼ同時に解いて払い出し動作を完了する構造などをいう。
【０１２０】
特に、従来創作されてきたパチンコ球の払出装置にあっては、例えば、モーターの回動軸に軸支された球受歯車でパチンコ球を係受け、係受けたパチンコ球をモーターの一回転動作によって繰り出す技術手段や、スクリュー回転体により螺旋の回転軸方向にパチンコ球を係動作用して送出する技術手段にあっては、モーターの一回転に満たない場合においては、１個から２個程度のパチンコ球を放出するのが限界である。一方本願発明の実施形態に記載した構造においては駆動モーターの半回転動作中においても７５個のパチンコ球を上部球受皿に向け払い出すことを実現した構成となっている。
【０１２１】
実施形態に記載した発明の構成によって、遊技者がスタートボタンを操作してリールが回転動作を開始されて後、賞の有無が判定されるまでの一周期の遊技時間が、例えば４．１秒程度の時間に設定されたスロットマシンにおいても、一周期の遊技サイクルに、パチンコ球の払出動作を充分に追従できる効果を生じる。
【０１２２】
先の遊技サイクルで成立した賞対象のパチンコ球が、続く三遊技サイクル、更に四遊技サイクル目において払い出される不具合を迅速にして解消できる。また、７５個のパチンコ球が一括して瞬時に、パチンコ球の７５個の群単位で遊技者に払い出されるので、遊技者の遊技に興ずる達成感を当該パチンコ球の払い出し動作により増幅する技術的手段が当該スロットマシンに具現される効果をも併せて生じる。なお、この発明は上記実施例に記載した内容に限定されない技術的範囲を有する。
【０１２３】
実施形態に記載する発明は、縦横に積層した払出球収容路４０内に設定個数のパチンコ球をほぼ鉛直方向に多数列に分割して係支する一方、駆動モーター９９の回転動作を駆動源として、払出球数設定片１８０が付設された前記払出球収容路４０に格納した多数個のパチンコ球を係止位置から解放位置に変換して、駆動軸の一回転動作内に７５個のパチンコ球の払い出す球払出ユニット３９を有することを特徴とするスロットマシンであって、賞の判定後、次のスタートボタンの操作後に判定される賞に対するパチンコ球の払出動作の開始までに、先行する賞に対応するパチンコ球の払出を完了させる。
【０１２４】
スタートスイッチの操作信号を受信したメイン制御部における当たり乱数値選択ルーチンの組み込まれた遊技制御プログラムの実行に基づいて賞の成立が設定され判定された賞に応じた数のパチンコ球を球払出制御部が駆動モーター９９等の電磁手段を駆動して払出球収容路内に収容した所定個数のパチンコ球を払い出すパチンコ球払出制御手段を有することを特徴とするスロットマシンを発明の実施形態とすることもできる。
【図面の簡単な説明】
【０１２５】
【図１】本願発明に係るスロットマシンの裏面概要図である。
【図２】本願発明に係るスロットマシンの側面概要図である。
【図３】本願発明に係るスロットマシンに装着する球処理基枠の分解斜視図である。
【図４】本願発明に係るスロットマシンにおける球処理基枠の組付斜視図である。
【図５】本願発明に係る球処理基枠の要部におけるパチンコ球の払出し動作を示す図である。
【図６】本願発明に係るスロットマシンにおける球払出ユニットのピニオン回転体が、ラックベルト板を有す払出球収容路を引き込む動作状態を示す図である。
【図７】本願発明に係るスロットマシンにおける球払出ユニットにおいて設定個数のパチンコ球を係止した後解放する払出球収容路の揺動状態を示す図である。
【図８】本願発明に係るスロットマシンにおける駆動モーターを各払出球収容路毎に設けた払出球収容路の作動機構を示す参考図である。
【図９】本願発明に係るスロットマシンにおける球払出ユニットの側面概要図である。
【図１０】本願発明に係るスロットマシンにおける球処理基枠の要部外観図である。
【符号の説明】
【０１２６】
１  スロットマシン本体枠、２  表示ユニット収容部、
３  リールユニット収容部、４  球処理基枠、５  リール、６  鍵部、
７  リールユニット収容壁、９  球処理基枠係止部材、１０  本体枠補強リブ、１１  本体木枠底板、１２  本体木枠、１５  下部球受皿、１６  上部球受皿、１７  前面枠開閉軸部材、１８  球払出ユニット取付螺子部、
２０  入出力信号接続ユニット、２２  下部球受皿導出口、
２３  上部球受皿導出部、２４  リールユニット、
２５  リールユニット透視カバー、２６  拡声部、２７  操作ユニット、
２８  賭数設定ボタン、２９  スタートボタン、３０  ストップボタン、
３１  球貸しボタン、３２  精算ボタン、３４  前面枠、３５  球タンク、
３６  タンクレール、３７  球止め部材、３８  導出口、３９  球払出ユニット、４０  払出球収容路、４１  払出球検出ユニット、４２  球払出ユニット嵌合面、４３  上部球受皿導出路、４５  球導入口、４６  下部球受皿導出路、
４８  下部球受皿導入口、４９  上部球受皿導入口、
５０  球処理基枠取付ベース、５１  リールユニット収容外壁、
５２  リールユニット収容内壁、５３  タンクレール開口、
５４  第一制御ユニット取付板、５５  第二制御ユニット取付板、
５６  下部球受皿連通口、５７  球抜き連通口、
５８  第二制御ユニット取付板嵌合面、６０  上部受皿連通蓋、
６２  球払出ユニットカバー、６６  球払出ユニット第二カバー、
６７  取付螺子、６９  球払出ユニットカバー取付用ボス、７２  球抜き部、
７３  カーブレール、７５  入出力接続ユニット嵌合部、７６  タンクレール蓋、７７  球タンク球導入壁、７８  球タンク球誘導傾斜壁、７９  球導出板、
８０  球均し片、８１  係止部材収容溝、８６  球払出ユニット側カバー、
８７  アクチュエーター、８８  球流路分離片、８９  球流路形成片、
９３  球止め片取付ボス、９４  球払出ユニットカバー取付孔、
９７  ピニオン回転体、９８  ラックベルト板、９９  駆動モーター、
１０４  上部受皿連通樋、１０６  球抜き経路、１０８  球抜き経路緩衝路、
１０９  球抜き球排出路、１１０  球誘導路、１１１  賞球貸し球排出口、
１１６  球払出ユニット第二カバー取付背板、１２１  回動軸軸受壁、
１２２  球止め部、１２６  検出スイッチ収容体、１２７  回転軸受、
１２８  回転軸受、１２９  払出球収容路回転軸、
１３０  球払出ユニットカバー受面、１３１  球払出ユニットカバー前板、
１３４  球払出ユニットカバー取付ボス、１３６  タンクレール誘導路分離壁、１３７  球均し部材回動軸、１３９  錘、１４０  タンクレール取付螺子孔、
１４３  タンクレール蓋取付ボス、１４５  球止め部材係止片係入溝、
１４６  球止め部材係止片、１４８  球止め片回動軸、
１５４  賞球貸し球導出口、１６３  球切れ検出スイッチ、
１６４    球収容整列壁、１６７  球タンク傾斜底板、１６８  球タンク導出口、１６９  タンクレール傾斜底板、１７０  カーブレール導入路、
１７１  カーブレール導出路、１７２  球抜き口経路、１７３  上部球抜き経路、１７６  下部球抜き排出路、１７７  払出制御部、１７８  払出ユニット側壁、１７９  払出球収容路壁、１８０  払出球数設定片、１８１  払出球緩衝路、
１８２  上皿溢れ球導出路、１８３  溢れ球堰、１８５  上皿誘導口、
１９１  払出球収容路第一回動位置、１９２  払出球収容路第二回動位置、
１９４  払出球検出路、１９５  払出球収容路下方端動作軌跡。
【図１】
2005270273.tif 000003
【図２】
2005270273.tif 000004
【図３】
2005270273.tif 000005
【図４】
2005270273.tif 000006
【図５】
2005270273.tif 000007
【図６】
2005270273.tif 000008
【図７】
2005270273.tif 000009
【図８】
2005270273.tif 000010
【図９】
2005270273.tif 000011
【図１０】
2005270273.tif 000012